【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
ほぼ等間隔に配置したブロックの両面に取り付けたデッキボードで互に平行な直方形の積載面を形成し，かつフォークリフトのフォークの差込口を前後左右四方向に設けたブロック形の木製パレットであって，前記ブロックは，パレットの四隅に配置した４個の隅ブロックと，これらの隅ブロックの中間部位に配置した４個の中間ブロックと，パレットの中心部位に配置した１個の中心ブロックとより構成し，前記デッキボードは，両端部をそれぞれ隣り合う隅ブロックに取り付け、中間部を中間ブロックに取り付けた４枚のデッキボード端板と，両端部をそれぞれ中心ブロックと中間ブロックに取り付けたデッキボード中間板と，デッキボード端板とデッキボード中間板とで形成される４つの直方形のデッキボード枠に嵌めて隅ブロックと中間ブロックと中心ブロックに取りつけた４枚のデッキボード格子板とより構成し，前記４枚のデッキボード端板は，それぞれの両端部に設けた先端頂角約４５度の切断面を突き合わせて隅ブロックと中間ブロックに取り付けることによって直方形の枠板としたことを特徴とする木製パレット。
【請求項２】
ほぼ等間隔に配置したブロックの両面に取りつけたデッキボードで互に平行な直方形の積載面を形成し，かつフォークリフトのフォークの差込口を前後左右四方向に設けたブロック形木製パレットであって，前記ブロックは，パレットの四隅に配置した４個の隅ブロックと，これらの隅ブロックの中間部位に配置した４個の中間ブロックと，パレットの中心部位に配置した１個の中心ブロックとより構成し，前記デッキボードは，両端部をそれぞれ隣り合う隅ブロックに取り付け，中間部を中間ブロックに取り付けた４枚のデッキボード端板と，デッキボード端板で形成される直方形のデッキボード枠に嵌めて４個の隅ブロックと４個の中間ブロックと１個の中心ブロックに取り付けたデッキボード格子板とより構成し，前記４枚のデッキボード端板は，それぞれの両端部に設けた先端頂角４５度の切断面を突き合わせて隅ブロックと中間ブロックに取り付けることによって直方形の枠板としたことを特徴とする木製パレット。
【手続補正２】
【補正対象書類名】明細書
【補正対象項目名】全文
【補正方法】変更
【補正の内容】
【発明の詳細な説明】
【発明の名称】木製パレット
【技術分野】
【０００１】
本発明は、ブロック形両面使用四方差し木製パレットに関するものである。
【背景技術】
【０００２】
従来のブロック形両面使用四方差し木製パレットは、図８に示すように、ブロック２と中間ブロック３，にケタ板６をとりつけ，これらにデッキボード端板７．中間デッキボード５をとりつけたものである。
【特許文献１】特開２００２−３０８２７１号公報
【特許文献２】実開平０１−１０３５２８号公報
【発明の開示】
【発明が解決しようとする課題】
【０００３】
従来のブロック形両面使用四方差し木製パレットは，このような構成となっているので，パレットがフォークリフトのフォークで，その差入れ方向に押圧された場合，ケタ板６とデッキボード端板７がフォークの差入れ方向に移動しやすい。また、フォークリフトがパレットを傾いた状態で起重した場合，ケタ板６とデッキボード端板７が，しなり，曲がり，折れ破損しやすい。
【０００４】
ケタ板６とデッキボード端板７は，図８のように，かさねて組合されているため，ケタ板６とデッキボード端板７をそれぞれ厚くすれば組合せによる強度は増すが，パレット全体の高さが高くなる。
【課題を解決するための手段】
【０００５】
本発明に係る木製パレットは，このような従来の問題点を解決するためになされたもので，次の（１）及び（２）に記載するものである。
(１)  ほぼ等間隔に配置したブロックの両面に取り付けたデッキボードで互いに平行な直方形の積載面を形成し，かつフォークリフトのフォークの差込口を前後左右四方に設けたブロック形の木製パレットであって，前記ブロックは，パレットの四隅に配置した４個の隅ブロックと，これらの隅ブロックの中間部位に配置した４個の中間ブロックとパレットの中心部位に配置した１個の中心ブロックとより構成し，前記デッキボードは，両端部をそれぞれ隣り合う隅ブロックに取り付け，中間部を中間ブロックに取り付けた４枚のデッキボード端板と，両端部をそれぞれ中心ブロックと中間ブロックに取り付けたデッキボード中間板と，デッキボード端板とデッキボード中間板とで形成される４つの直方形のデッキボード枠に嵌めて隅ブロックと中間ブロックと中心ブロックに取り付けた４枚のデッキボード格子板とより構成し，前記４枚のデッキボード端板は，それぞれの両端部に設けた先端頂角約４５度の切断面を突き合わせて隅ブロックと中間ブロックに取り付けることによって直方形の枠板としたことを特徴とする木製パレット（以下 第１パレットという）。
(２)  ほぼ等間隔に配置したブロック両面に取り付けたデッキボードで互に平行な直方形の積載面を形成し，かつフォークリフトのフォークの差込口を前後左右四方向に設けたブロック形の木製パレットであって，前記ブロックは，パレット四隅に配置した４個の隅ブロックと，これらの隅ブロックの中間部位に配置した４個の中間ブロックと，パレット中心部位に配置した１個の中心ブロックとより構成し，前記デッキボードは，両端部をそれぞれ隣り合う隅ブロックに取り付け，中間部を中間ブロックに取り付けた４枚のデッキボード端板と，デッキボード端板で形成される直方形のデッキボード枠に嵌めて４個の隅ブロックと４個の中間ブロックと１個の中心ブロックに取り付けたデッキボード格子板とより構成し，前記４枚のデッキボード端板はそれぞれの両端部に設けた先端頂角約４５度の切断面を突き合わせて隅ブロックと中間ブロックに取り付けることによって直方形の枠板としたことを特徴とする木製パレット（以下，第２パレットという）。
【発明の効果】
【０００６】
(１)  第１，第２パレットにおいては，従来のケタ板６とデッキボード端板７を兼ねた厚い４枚のデッキボード端板で，パレットの積載面の周囲を構成したのでデッキボード端板がフォークリフトによる押圧，衝撃に耐え，破損しにくい。
【０００７】
(２)  第１，第２パレットにおいては，パレットの積載面の周囲が，上述の厚い４枚のデッキボード端板で形成した直方形の枠板によって構成されているので，フォークリフトのフォークによる押圧力は分散されてパレット全体にかかり，パレットが変形したり，破損するおそれがない。
【０００８】
(３)  第１パレットにおいては，中心ブロックと中間ブロックにデッキボード中間板を取り付けたので，これらの板が中間ケタ板の役目と共に補強材として機能し，パレットの曲り，たわみが少くなる。
【０００９】
(４)  第１パレットにおいては，デッキボード格子板をデッキボード中間板とデッキボード端板で形成した４つの直方形のデッキボード枠に嵌めて取り付ける構成とし，第２パレットにおいては，デッキボード格子板をデッキボード端板で形成した直方形のデッキボード枠に嵌めて取り付ける構成としたので，デッキボードの組みつけが容易となる。また，デッキボード格子板をパレットの部品として扱えるのでパレット製作が容易になる。さらに，これらのデッキボード格子板は，フォークリフトのフォークがパレットを押圧する場合に同パレットに加わる押圧力を緩衝することが出来る。
【発明を実施するための最良の形態】
【００１０】
以下，本発明の実施の形態を実施例によって図面を参照しながら説明する。
【実施例１】
【００１１】
実施例１の木製パレットは，第１パレットの実施例である。この木製パレットは，ほぼ等間隔に配置したブロック上下両面に取り付けたデッキボードによって互に平行な直方形の積載面を形成し，かつ前後左右方向にフォークリフトのフォークの差込口を設けたブロック形のものである。
上記ブロックは，図１、３，５に示すように，パレットの四隅に配置した４個の隅ブロック２と，これらの隅ブロック２の中間部位に配置した４個の中間ブロック３と，パレットの中心部位に配置した１個の中心ブロック４とより構成されている。各ブロック２．３．４は，ほぼ等間隔に配置されている。
【００１２】
上記デッキボードは，図１．３，６に示すように，４枚のデッキボード端板１とデッキボード中間板８．９と４枚のデッキボード格子板１０とにより構成されている。
前記４枚のデッキボード端板１の両端部は隣り合う隅ブロック２に釘１２で取りつけ，中間部は中間ブロック３に釘１２で取り付けしてある。
また，４枚のデッキボード１は，それぞれ両端部に設けた先端頂角約４５度の切断面を突き合わせて隅ブロック２に取り付けることによって，直方形の枠板として組合わされている。
【００１３】
前記デッキボード中間板８，９は，中間ブロック３と中心ブロック４に釘１２で取り付けてある。前記４枚のデッキボード格子板１０は，デッキボード端板１とデッキボード中間板８，９とで形成される４つの直方形のデッキボード枠に嵌めて隅ブロック２と中間ブロック３と中心ブロック４に釘１２で取り付けてある。
上記デッキボード格子板１０は，図６に示すように，３枚の横板を一定間隔で配置し，それらの上に３枚の縦板を一定の間隔で配置し，各板を釘で一体に固定して組立てたものである。
【実施例２】
【００１４】
実施例２の木製パレットは，第２パレットの実施例である。
この木製パレットは，図２に示すように，実施例１の木製パレットにおける４枚のデッキボード端板１で隅ブロック２と中間ブロック３の上下両面に形成される直方形のデッキボード枠〔図４〕に，図７に示すデッキボード格子板１１を嵌め，これを隅ブロック２と中間ブロック３と中心ブロック４に釘１２で取り付けた構造のものである。
上記デッキボード格子板１１は，図７に示すように，７枚の縦板を一定の間隔で配置し，それらの上に７枚の横板を一定の間隔で配置し，各板を釘で一体に固定して組立てたものである。
なお，上記実施例１，２で使用した釘に代えてねじを使用することもできる。
【００１５】
次に，実施例１，２の効果を説明する。
(１)  実施例１，２においては，従来の木製パレットにおけるケタ６とデッキボード端板７を兼ねた厚い４枚のデッキボード端板１でパレット積載面の周囲を構成したので，デッキボード端板１がフォークリフトによる押圧，衝撃に耐え，破損しにくい。
(２)  実施例１，２においては，パレットの積載面の周囲を，４枚のデッキボード端板１で直方形の枠板として構成したのでパレットの前後左右四方向からのフォークリフトによる押圧，衝撃に枠板が耐え、パレットが破損しない。
(３)  実施例１においては，中間ブロック３と中心ブロック４にデッキボード中間板８，９を取り付けたので，これが中間ケタ板の役目と共にパレットの補強材として機能し，パレットのたわみ，曲りが少なくなる。
(４)  実施例１，２においては，デッキボード格子板１０，１１をデッキボード枠に嵌めて取付ける構成としたので，これを部品として取扱うことができ，パレットの組立て製作が容易になる。また、これらの格子板１０，１１は，フォークリフトのフォークによる外力を緩衝出来る。
【図面の簡単な説明】
【００１６】
【図１】実施例１の木製パレットを示し，（ａ）は平面図，（ｂ）は正面図，（ｃ）は側面図，
【図２】実施例２の木製パレットを示し，（ａ）は平面図，（ｂ）は正面図，（ｃ）は側面図，
【図３】図１におけるデッキボード格子板を取り除いた実施例１の木製パレットを示し，（ａ）は平面図，（ｂ）は正面図，（ｃ）は側面図，
【図４】図２におけるデッキボード格子板を取り除いた実施例２の木製パレットを示し，（ａ）は平面図，（ｂ）は正面図，（ｃ）は側面図，
【図５】実施例１，２の木製パレットのブロックの配置を示し，（ａ）は平面図，（ｂ）は正面図，（ｃ）は側面図，
【図６】実施例１の木製パレットに使用されているデッキボード格子板を示し，（ａ）は平面図，（ｂ）は正面図，（ｃ）は側面図，
【図７】実施例２の木製パレットに使用されているデッキボード格子板を示し，（ａ）は平面図，（ｂ）は正面図，（ｃ）は側面図，
【図８】従来の両面使用四方差しの木製パレットを示す斜視図
【符号の説明】
【００１７】
１.  デッキボード端板
２.  隅ブロック
３.  中間ブロック
４.  中心ブロック
５.  デッキボード
６.  ケタ板
７.  デッキボード端板
８.  デッキボード中間板
９.  デッキボード中間板
１０．デッキボード格子板
１１．デッキボード格子板
１２.  釘，ねじ
【手続補正３】
【補正対象書類名】図面
【補正対象項目名】全図
【補正方法】変更
【補正の内容】
【図１】
2007320657.tif 000001
【図２】
2007320657.tif 000002
【図３】
2007320657.tif 000003
【図４】
2007320657.tif 000004
【図５】
2007320657.tif 000005
【図６】
2007320657.tif 000006
【図７】
2007320657.tif 000007
【図８】
2007320657.tif 000008